(57)【要約】      （修正有）【課題】記録担体を用いないという技術の流れにあえて逆行し、記録担体による再生を行うことでユーザの利便性と権利者の意図しない複製の事実上の防止を図るコンテンツ再生システムを提供する。【解決手段】コンテンツ再生システムにおいて、記録担体２を携帯装置４に近接させると、記録担体２の電源部２４は、アンテナ２７にて受信した信号から電源電圧を得て各部に供給し、送信手段２１は、記録部２３に記録されている担体ＩＤを近距離通信部２２によって送信する。携帯装置４の初期受信手段４３は、近距離通信部４１によってこれを受信し担体ＩＤを得る。初期受信手段４３から、近距離通信部４１、アンテナ２７を介して読出要求が送信されると、記録担体２の送信手段２１は、記録部２３に記録されている音楽データ２５を送信する。音楽データ受信手段４２は、送信されてきた音楽データ２５を受信し再生手段４４に与える。【選択図】図１
2019095499.tif 000002
【特許請求の範囲】
【請求項１】
音楽データ記録担体と再生装置とを備えた再生システムにおいて、
前記音楽データ記録担体は、
近距離無線通信の可能な再生装置からの電波を受けるアンテナと、
受信した電波に基づいて電力を得る電源部と、
音楽データを記録した記録部と、
電源部による電力供給を受けて、前記再生装置と通信を行い、前記記録部に記録されている音楽データを通信部によって送信する送信手段とを備え、
前記再生装置は、
近距離無線通信を行うためのアンテナと、
前記アンテナを介して、前記音楽データ記録担体から担体ＩＤを通信部により受信する初期受信手段と、
前記アンテナを介して、前記ＩＤによって特定される音楽データ記録担体から音楽データを通信部により受信する音楽データ受信手段と、
受信した音楽データを再生して音出力部に与える再生手段とを備えたことを特徴とする再生システム。
【請求項２】
近距離無線通信にて音楽データの記録された音楽データ記録担体との通信を行うためのアンテナと、
前記アンテナを介して、前記音楽データ記録担体から担体ＩＤを通信部により受信する初期受信手段と、
前記アンテナを介して、前記ＩＤによって特定される音楽データ記録担体から音楽データを通信部により受信する音楽データ受信手段と、
受信した音楽データを再生して音出力部に与える再生手段とを備えたことを特徴とする再生装置。
【請求項３】
コンピュータによって再生装置を実現するための携帯プログラムであって、コンピュータを、
近距離無線通信にて音楽データの記録された音楽データ記録担体との通信を行うためのアンテナを介して、担体ＩＤによって特定される音楽データ記録担体から音楽データを通信部により受信する音楽データ受信手段と、
受信した音楽データを再生して音出力部に与える再生手段として機能させるための携帯プログラム。
【請求項４】
請求項１のシステム、請求項２の装置または請求項３のプログラムにおいて、
前記初期受信手段が複数の音楽データ記録担体を認識した場合には、前記音楽データ受信手段は、最後に認識した音楽データ記録担体からの音楽データを受信して再生手段に渡すことを特徴とするシステム、装置またはプログラム。
【請求項５】
請求項１のシステム、請求項２の装置または請求項３のプログラムにおいて、
前記初期受信手段が複数の音楽データ記録担体を認識した場合には、前記音楽データ受信手段は、複数の音楽データ記録担体を表示部に選択可能に表示し、ユーザによって選択された音楽データ記録担体からの音楽データを受信して再生手段に渡すことを特徴とするシステム、装置またはプログラム。
【請求項６】
請求項１〜５のいずれかのシステム、装置またはプログラムにおいて、
前記再生手段は、少なくとも再生を行ったユーザに関する情報または再生装置に関する情報または再生日時情報を、当該音楽データ記録担体の担体ＩＤに対応付けて履歴サーバ装置に記録するために送信することを特徴とするシステム、装置またはプログラム。
【請求項７】
請求項１〜６のいずれかのシステム、装置またはプログラムにおいて、
前記再生手段は、再生を行ったユーザに関する情報または再生装置に関する情報を、音楽データ記録担体に記録するために送信することを特徴とするシステム、装置またはプログラム。
【請求項８】
請求項１〜７のいずれかのシステム、装置またはプログラムにおいて、
前記初期受信手段が、前記音楽データ記録担体からのＩＤを受信した際に、前記音楽データ受信手段および再生手段を構築するためのプログラムを備えていない場合、当該プログラムをインターネットを介してプログラム配信サーバ装置から取得するための処理を行うことを特徴とするシステム、装置またはプログラム。
【請求項９】
請求項１〜８のいずれかのシステム、装置またはプログラムにおいて、
前記音楽データ記録担体は、楽器、物品、タグのいずれかに設けられていることを特徴とするシステム、装置またはプログラム。
【請求項１０】
音楽データ記録担体と複数の再生装置と履歴サーバ装置とを備えた再生システムにおいて、
前記音楽データ記録担体は、
近距離無線通信の可能な再生装置からの電波を受けるアンテナと、
受信した電波に基づいて電力を得る電源部と、
音楽データを記録した記録部と、
電源部による電力供給を受けて、前記再生装置と通信を行い、前記記録部に記録されている音楽データを通信部によって送信する送信手段とを備え、
前記再生装置は、
近距離無線通信を行うためのアンテナと、
前記アンテナを介して、前記音楽データ記録担体から担体ＩＤを通信部により受信する初期受信手段と、
前記アンテナを介して、前記ＩＤによって特定される音楽データ記録担体から音楽データを通信部により受信する音楽データ受信手段と、
受信した音楽データを再生して音出力部に与えるとともに、再生を行ったユーザに関する情報または再生装置に関する情報を、当該音楽データ記録担体の担体ＩＤに対応付けて、履歴サーバ装置に送信する再生手段とを備え、
前記履歴サーバ装置は、
前記各再生装置から送信されてきた再生を行ったユーザに関する情報または再生装置に関する情報を、当該音楽データ記録担体の担体ＩＤに対応付けて記録部に記録する記録手段を備え、
前記音楽データ記録担体が異なるユーザの再生装置にて再生された場合でも履歴を保持できるようにしたことを特徴とする再生システム。
【請求項１１】
近距離無線通信にて音楽データの記録された音楽データ記録担体との通信を行うためのアンテナと、
前記アンテナを介して、前記音楽データ記録担体から担体ＩＤを通信部により受信する初期受信手段と、
前記アンテナを介して、前記ＩＤによって特定される音楽データ記録担体から音楽データを通信部により受信する音楽データ受信手段と、
受信した音楽データを再生して音出力部に与えるとともに、再生を行ったユーザに関する情報または再生装置に関する情報を、当該音楽データ記録担体の担体ＩＤに対応付けて、履歴サーバ装置に送信する再生手段とを備えたことを特徴とする再生装置。
【請求項１２】
コンピュータによって再生装置を実現するための携帯プログラムであって、コンピュータを、
近距離無線通信にて音楽データの記録された音楽データ記録担体との通信を行うためのアンテナを介して、担体ＩＤによって特定される音楽データ記録担体から音楽データを通信部により受信する音楽データ受信手段と、
受信した音楽データを再生して音出力部に与えるとともに、再生を行ったユーザに関する情報または再生装置に関する情報を、当該音楽データ記録担体の担体ＩＤに対応付けて、履歴サーバ装置に送信する再生手段として機能させるための携帯プログラム。
【請求項１３】
請求項１のシステムにおいて、さらに、
少なくとも前記再生装置と通信可能に設けられた登録サーバ装置を備え、
前記登録サーバ装置は、
前記再生装置から、前記音楽データ記録担体の担体ＩＤを伴う登録要求を受け付ける登録要求受付手段と、
前記登録要求に含まれる担体ＩＤについて、未登録であれば、前記再生装置のユーザに関連づけて当該担体ＩＤを記録部に権利登録する登録手段と、
前記再生装置または他の装置からユーザを特定した利益実現要求を受けると、当該ユーザが当該担体について登録をしていれば、利益実現処理を行う利益実現手段と、
を備えており、
前記利益実現処理は、少なくとも前記担体ＩＤによって特定される音楽データ記録担体に記録されている音楽データと同じ楽曲の音楽データを前記再生装置にダウンロードすることを含んでいることを特徴とするシステム。
【請求項１４】
請求項２の再生装置において、さらに、
前記音楽データ記録担体の担体ＩＤおよびユーザを特定した登録要求を前記登録サーバ装置に送信する登録要求送信手段と、
前記担体ＩＤおよびユーザを特定した利益実現要求を前記登録サーバ装置に送信する利益実現要求手段と、
を備えたことを特徴とする再生装置であって、
前記利益実現要求は、少なくとも前記担体ＩＤによって特定される音楽データ記録担体に記録されている音楽データと同じ楽曲の音楽データを前記再生装置にダウンロードすることの要求を含んでいることを特徴とする再生装置。
【請求項１５】
請求項３の携帯プログラムにおいて、コンピュータを、さらに、
前記音楽データ記録担体の担体ＩＤおよびユーザを特定した登録要求を前記登録サーバ装置に送信する登録要求送信手段と、
前記担体ＩＤおよびユーザを特定した利益実現要求を前記登録サーバ装置に送信する利益実現要求手段として機能させることを特徴とするプログラムであって、
前記利益実現要求は、少なくとも前記担体ＩＤによって特定される音楽データ記録担体に記録されている音楽データと同じ楽曲の音楽データを前記再生装置にダウンロードすることの要求を含んでいることを特徴とする携帯プログラム。
【請求項１６】
前記再生装置から、前記音楽データ記録担体の担体ＩＤとユーザを特定した登録要求を受け付ける登録要求受付手段と、
前記登録要求に含まれる担体ＩＤについて、未登録であれば、前記ユーザに関連づけて当該担体ＩＤを記録部に権利登録する登録手段と、
前記再生装置または他の装置からユーザを特定した利益実現要求を受けると、当該ユーザが当該担体について登録をしていれば、利益実現処理を行う利益実現手段と、
を備えた登録サーバ装置であって、
前記利益実現処理は、少なくとも前記担体ＩＤによって特定される音楽データ記録担体に記録されている音楽データと同じ楽曲の音楽データを前記再生装置にダウンロードすることを含んでいることを特徴とする登録サーバ装置。
【請求項１７】
コンピュータによってサーバ装置を実現するための登録サーバプログラムであって、コンピュータを、
前記再生装置から、前記音楽データ記録担体の担体ＩＤとユーザを特定した登録要求を受け付ける登録要求受付手段と、
前記登録要求に含まれる担体ＩＤについて、未登録であれば、前記ユーザに関連づけて当該担体ＩＤを記録部に権利登録する登録手段と、
前記再生装置または他の装置からユーザおよび担体ＩＤを特定した利益実現要求を受けると、記録部を参照して当該担体ＩＤおよびユーザが対応付けて登録されていれば、利益実現処理を行う利益実現手段として機能させるプログラムにおいて、
前記利益実現処理は、少なくとも前記担体ＩＤによって特定される音楽データ記録担体に記録されている音楽データと同じ楽曲の音楽データを前記再生装置に、当該サーバ装置または他のサーバ装置からダウンロードすることを含んでいることを特徴とする登録サーバプログラム。
【請求項１８】
請求項１３〜１７のいずれかのシステム、装置またはプログラムにおいて、
前記再生手段は、再生を行ったユーザに関する情報または再生装置に関する情報を、当該音楽データ記録担体の担体ＩＤに対応付けて履歴サーバ装置に記録するために送信することを特徴とするシステム、装置またはプログラム。
【請求項１９】
請求項１〜１８のいずれかのシステム、装置またはプログラムにおいて、
前記再生装置は、携帯装置であることを特徴とするシステム、装置またはプログラム。
【請求項２０】
請求項１０〜１９のいずれかのシステム、装置またはプログラムにおいて、
前記履歴サーバ装置と前記登録サーバ装置は、一体のサーバ装置として構築されていることを特徴とするシステム、装置またはプログラム。
【発明の詳細な説明】
【技術分野】
【０００１】
この発明は、コンテンツ再生システムに関するものである。
【背景技術】
【０００２】
音楽の提供形態は、レコードからコンパクトディスク（ＣＤ）に変わり、さらに記録担体（記録媒体）を使用しないダウンロードやストリーミングに変化してきた。ダウンロードやストリーミングは記録担体を使用しないという点で流通コストを抑えることができるという利点があり、広く用いられている。
【０００３】
レコードやＣＤにおいては、複製のために記録担体が必要であり、その存在によって、権利者の意図しない複製が自然と制限されていた。しかし、ダウンロードによる音楽データは、記録担体を必要としないため複製が容易であり、権利者の意図しない複製が爆発的に行われる可能性がある。
【０００４】
このため、従来、権利を購入した本人であることを認証した上でなければダウンロードできないようにしたり、ダウンロードを自由に可能とした上で権利を購入した本人であることを認証した上でなければ再生できないようにしたりするシステム（特許文献１参照）が提案されている。
【０００５】
これにより、記録担体を使用しないダウンロードにおける利点を活かしつつ、権利者の意図しない複製や再生を防止することができるようにしている。
【０００６】
このように、これまでの技術の流れは、音楽データを記録した記録担体を前提としたものから、記録担体を用いずに音楽データのみを流通させるという方向に進んでいる。
【先行技術文献】
【特許文献】
【０００７】
【特許文献１】特開２０１１−２１６０９９
【発明の概要】
【発明が解決しようとする課題】
【０００８】
レコードやＣＤにおいては、専用の再生機器に装着しなければ再生ができず手軽さに欠けるという問題があった。また、正確に音楽データを読み取るために、物理的に極めて精度よく記録担体の位置決めをしなければならず、振動などによる誤動作や故障が生じやすいという問題があった。
【０００９】
ストリーミングやダウンロード方式であれば、物理的に記録担体を再生機器に装着する必要がなく上記のような問題は生じない。しかしながら、上記のストリーミングにおいては、音楽データを音楽再生のための携帯装置などに記録しないため、ネットワーク環境のないところでは再生ができないという問題があった。
【００１０】
また、ダウンロードによる場合には上記のような問題は生じないが、権利を持つものしか音楽データの再生ができないという問題があった。すなわち、上記の特許文献１のようなシステムでは、ユーザが購入した楽曲を友人等に貸したりすることはできず、利便性が阻害されていた。
【００１１】
この発明は、上記のような問題点を解決して、記録担体を用いないという技術の流れにあえて逆行し、記録担体による再生を行うことでユーザの利便性と権利者の意図しない複製の事実上の防止を図るものである。すなわち、記録担体があれば再生を可能としてユーザの利便性を実現し、記録担体がなければ複製が困難であるようにして権利者の意図しない複製を事実上防止し、さらに、記録担体による再生でありながら再生機器に対する精密な位置決めが不要であり、ユーザにとって手軽であり故障などの少ないシステムの提供を目的とする。
【課題を解決するための手段】
【００１２】
この発明の独立して適用可能な側面を以下に列挙する。
【００１３】
(1)(2)(3)この発明に係る再生システムは、音楽データ記録担体と再生装置とを備えた再生システムにおいて、
前記音楽データ記録担体は、近距離無線通信の可能な再生装置からの電波を受けるアンテナと、受信した電波に基づいて電力を得る電源部と、音楽データを記録した記録部と、電源部による電力供給を受けて、前記再生装置と通信を行い、前記記録部に記録されている音楽データを通信部によって送信する送信手段とを備え、
前記再生装置は、近距離無線通信を行うためのアンテナと、前記アンテナを介して、前記音楽データ記録担体から担体ＩＤを通信部により受信する初期受信手段と、前記アンテナを介して、前記ＩＤによって特定される音楽データ記録担体から音楽データを通信部により受信する音楽データ受信手段と、受信した音楽データを再生して音出力部に与える再生手段とを備えたことを特徴とする再生システムである。
【００１４】
したがって、記録担体がなければ再生を行うことができず、記録担体があればこれを貸し借りして再生を行うことができる。したがって、オンラインによる音楽データのように複製が無制限になされることはなく、また、権利の管理によって本人以外が一切再生できなくなるという問題がなく、自由な再生が実現される。また、記録担体とこれを再生する再生装置を近接させるだけで音楽が再生され、記録担体を精密に再生装置に位置決めして装着する必要がない。
【００１５】
(4)この発明に係るシステムは、初期受信手段が複数の音楽データ記録担体を認識した場合には、前記音楽データ受信手段は、最後に認識した音楽データ記録担体からの音楽データを受信して再生手段に渡すことを特徴としている。
【００１６】
したがって、複数の音楽データ記録担体を認識した時に、最後に認識した記録担体の音楽データを再生することができる。
【００１７】
(5)この発明に係るシステムは、初期受信手段が複数の音楽データ記録担体を認識した場合には、前記音楽データ受信手段は、複数の音楽データ記録担体を表示部に選択可能に表示し、ユーザによって選択された音楽データ記録担体からの音楽データを受信して再生手段に渡すことを特徴としている。
【００１８】
したがって、複数の音楽データ記録担体を認識した時に、ユーザによって選択された音楽データを再生することができる。
【００１９】
(6)この発明に係るシステムは、再生手段は、再生を行ったユーザに関する情報または再生装置に関する情報を、当該音楽データ記録担体の担体ＩＤに対応付けてサーバ装置に記録するために送信することを特徴としている。
【００２０】
したがって、サーバ装置の側に当該記録担体の再生履歴を記録することができる。
【００２１】
(7)この発明に係るシステムは、再生手段は、再生を行ったユーザに関する情報または再生装置に関する情報を、音楽データ記録担体に記録するために送信することを特徴としている。
【００２２】
したがって、記録担体の側に当該記録担体の再生履歴を記録することができる。
【００２３】
(8)この発明に係るシステムは、初期受信手段が、前記音楽データ記録担体からのＩＤを受信した際に、前記音楽データ受信手段および再生手段を構築するためのプログラムを備えていない場合、当該プログラムをインターネットを介してプログラム配信サーバ装置から取得するための処理を行うことを特徴としている。
【００２４】
したがって、容易に音楽データ受信手段、再生手段を構築するためのプログラムを取得することができる。
【００２５】
(9)この発明に係るシステムは、音楽データ記録担体は、楽器、物品、タグのいずれかに設けられていることを特徴としている。
【００２６】
したがって、これら物品から音楽データを取得して再生することができる。
【００２７】
(10)(11)この発明に係るシステムは、音楽データ記録担体と複数の再生装置と履歴サーバ装置とを備えた再生システムにおいて、
前記音楽データ記録担体は、近距離無線通信の可能な再生装置からの電波を受けるアンテナと、受信した電波に基づいて電力を得る電源部と、音楽データを記録した記録部と、電源部による電力供給を受けて、前記再生装置と通信を行い、前記記録部に記録されている音楽データを通信部によって送信する送信手段とを備え、
前記再生装置は、近距離無線通信を行うためのアンテナと、前記アンテナを介して、前記音楽データ記録担体から担体ＩＤを通信部により受信する初期受信手段と、前記アンテナを介して、前記ＩＤによって特定される音楽データ記録担体から音楽データを通信部により受信する音楽データ受信手段と、受信した音楽データを再生して音出力部に与えるとともに、再生を行ったユーザに関する情報または再生装置に関する情報を、当該音楽データ記録担体の担体ＩＤに対応付けて、履歴サーバ装置に送信する再生手段とを備え、
前記履歴サーバ装置は、前記各再生装置から送信されてきた再生を行ったユーザに関する情報または再生装置に関する情報を、当該音楽データ記録担体の担体ＩＤに対応付けて記録部に記録する記録手段を備え、前記音楽データ記録担体が異なるユーザの再生装置にて再生された場合でも履歴を保持できるようにしたことを特徴としている。
【００２８】
したがって、記録担体がなければ再生を行うことができず、記録担体があればこれを貸し借りして再生を行うことができる。したがって、オンラインによる音楽データのように複製が無制限になされることはなく、また、権利の管理によって本人以外が一切再生できなくなるという問題がなく、自由な再生が実現される。また、記録担体とこれを再生する再生装置を近接させるだけで音楽が再生され、記録担体を精密に再生装置に位置決めして装着する必要がない。また、サーバ装置の側に当該記録担体の再生履歴を記録することができる。
【００２９】
(13)〜(17)この発明に係るシステムは、少なくとも前記再生装置と通信可能に設けられた登録サーバ装置を備え、
前記登録サーバ装置は、前記再生装置から、前記音楽データ記録担体の担体ＩＤを伴う登録要求を受け付ける登録要求受付手段と、前記登録要求に含まれる担体ＩＤについて、未登録であれば、前記再生装置のユーザに関連づけて当該担体ＩＤを記録部に権利登録する登録手段と、前記再生装置または他の装置からユーザおよび担体ＩＤを特定した利益実現要求を受けると、記録部を参照して当該担体ＩＤおよびユーザが対応付けて登録されていれば、利益実現処理を行う利益実現手段とを備えており、
前記利益実現処理は、少なくとも前記担体ＩＤによって特定される音楽データ記録担体に記録されている音楽データと同じ楽曲の音楽データを前記再生装置にダウンロードすることを含んでいることを特徴としている。
【００３０】
したがって、正当な権利者に対して、ダウンロードなどの権利を与えることができる。
【００３１】
(18)この発明に係るシステムは、再生手段は、再生を行ったユーザに関する情報または再生装置に関する情報を、当該音楽データ記録担体の担体ＩＤに対応付けて履歴サーバ装置に記録するために送信することを特徴としている。
【００３２】
(19)この発明に係るシステムは、再生装置が、携帯装置であることを特徴としている。
【００３３】
したがって、容易に携帯装置にて再生を行うことができる。
【００３４】
(20)この発明に係るシステムは、履歴サーバ装置と前記登録サーバ装置が、一体のサーバ装置として構築されていることを特徴としている。
【００３５】
この発明において音楽データ記録担体の「送信手段」は、プログラムによって実現されたものであっても、ハードウエア回路によって実現されたものであってもよい。実施形態においては制御回路２１がこれに対応する。
【００３６】
「初期受信手段」は、実施形態においては、ステップＳ１がこれに対応する。
【００３７】
「音楽データ受信手段」は、実施形態においては、ステップＳ１７がこれに対応する。
【００３８】
「再生手段」は、実施形態においては、ステップＳ１８がこれに対応する。
【００３９】
「登録要求受付手段」は、実施形態においては、ステップＳ２６がこれに対応する。
【００４０】
「登録手段」は、実施形態においては、ステップＳ３３がこれに対応する。
【００４１】
「利益実現手段」は、実施形態においては、ステップＳ３６がこれに対応する。
【００４２】
「プログラム」とは、ＣＰＵにより直接実行可能なプログラムだけでなく、ソース形式のプログラム、圧縮処理がされたプログラム、暗号化されたプログラム等を含む概念である。
【図面の簡単な説明】
【００４３】
【図１】この発明の一実施形態による再生システムの機能ブロック図である。
【図２】再生システムのシステム構成である。
【図３】音楽データ記録担体２のハードウエア構成である。
【図４】スマートフォン４のハードウエア構成である。
【図５】オペレーティングシステム５１の近距離通信処理のフローチャートである。
【図６】音楽再生プログラム５３のフローチャートである。
【図７】スマートフォン４の画面表示例である。
【図８】図８Ａは、ユーザ登録データの例である。図８Ｂは、履歴データの例である。
【図９】この発明の第２の実施形態による再生システムの機能ブロック図である。
【図１０】再生システムのシステム構成である。
【図１１】サーバ装置８のハードウエア構成である。
【図１２】サーバプログラム９４、音楽再生プログラム５３のフローチャートである。
【図１３】サーバプログラム９４、音楽再生プログラム５３のフローチャートである。
【図１４】サーバプログラム９４、音楽再生プログラム５３のフローチャートである。
【図１５】スマートフォンの画面例である。
【図１６】購入認証テーブルの例である。
【発明を実施するための形態】
【００４４】
１．第１の実施形態
1.1機能ブロック図
図１に、この発明の一実施形態による再生システムの機能ブロック図を示す。音楽データ２５を記録した記録担体２と音楽データを再生するための再生装置である携帯装置４を備えている。
【００４５】
記録担体２を携帯装置４に近接させると、記録担体２の電源部２４は、アンテナ２７にて受信した信号から電源電圧を得て各部に供給する。これにより、送信手段２１は、記録部２３に記録されている担体ＩＤを、近距離通信部２２によって送信する。
【００４６】
携帯装置４の初期受信手段４３は、アンテナ４６、近距離通信部４１によってこれを受信し担体ＩＤを得る。初期受信手段４３から、近距離通信部４１、アンテナ２７を介して読出要求が送信されると、記録担体２の送信手段２１は、記録部２３に記録されている音楽データ２５を送信する。
【００４７】
音楽データ受信手段４２は、送信されてきた音楽データ２５を受信し再生手段４４に与える。再生手段４４は、音楽データ２５を再生して音信号とし、音出力部４５に与える。音出力部４５は、音信号を音として出力する。
【００４８】
以上のようにして、記録担体２に携帯装置４を近づけることで、記録担体２に記録されている音楽データ２５を再生することができる。
【００４９】
1.2システム構成およびハードウエア構成
図２に、この実施形態によるシステム構成を示す。この実施形態では、円盤状（たとえば、直径４ｃｍ、厚み１ｍｍ）の記録担体２を用いている。この記録担体２の円盤の外周部分にはアンテナが巻回され、内部に記録部を含む回路部が収納されている。携帯装置としてはスマートフォン４を用いている。
【００５０】
図３に、記録担体２のハードウエア構成を示す。不揮発性メモリ２３には、音楽データ２５、担体ＩＤ２６が記録されている。制御回路２１は、不揮発性メモリ２３に記録されている音楽データ２５や担体ＩＤ２６を読み出して、近距離通信回路２２に与える。近距離通信回路２２は、これらをアンテナ２７を介して送信する。この実施形態では、近距離通信の方式として、ＮＦＣを用いるようにしている。電磁誘導方式あるいは電波方式のＲＦＩＤなど、他の方式を用いるようにしてもよい。
【００５１】
なお、記録担体２には自ら電力を生じる電源回路は設けられていない。代わりに、アンテナ２７から受信した信号を電力に変える電源回路２４が設けられている。したがって、外部から電力の供給を受けてはじめて記録担体２の各回路は動作する。なお、記録担体２に電源を内蔵するようにしてもよい。
【００５２】
図４に、スマートフォン４のハードウエア構成を示す。ＣＰＵ５０に、メモリ５２、タッチスクリーンディスプレイ５４、不揮発性メモリ５６、近距離通信回路４１、通信回路５８、スピーカ４５が接続されている。なお、通話のための回路などは省略している。
【００５３】
近距離通信回路４１は、ＮＦＣ方式により記録担体と通信を行うものである。通信回路５８は、インターネットを介してサーバ装置などと通信を行うものである。不揮発性メモリ５６には、オペレーティングシステム５１、音楽再生プログラム５３が記録されている。音楽再生プログラム５３は、オペレーティングシステム５１と協働してその機能を発揮するものである。これらプログラムは、インターネットを介してダウンロードされてインストールされたものである。
【００５４】
1.3再生処理
図５に、オペレーティングシステム５１の近距離通信処理のフローチャートを示す。この実施形態では、この処理をオペレーティングシステム５１の一部として実現しているが、専用のプログラムを設けるようにしてもよい。
【００５５】
ＣＰＵ５０は、近傍に記録担体２が存在するかどうかを判断する（ステップＳ１）。記録担体２が近傍（最小距離〜最大距離の間）に存在すれば、記録担体２が電源を得て動作を行い、担体ＩＤや楽曲名などを送信してくる。最小距離としては０ｍｍ〜３０ｍｍ、最大距離としては１００ｍｍ〜１０００ｍｍの範囲とすることができる。
【００５６】
この実施形態のように、スマートフォン４のような携帯装置の場合には、携帯装置が移動するため、１つの記録担体２に対して複数の携帯装置が近接したり、１つの携帯装置に対して複数の記録担体２が近接したりする可能性が高くなる。したがって、携帯装置を用いる場合には、上記最小距離を０ｍｍ、最大距離を５０ｍｍ〜１５０ｍｍ（好ましくは１００ｍｍ）とすることが好ましい。
【００５７】
また、据え置き型の装置の場合には、装置が移動しないため、１つの記録担体２に対して複数の携帯装置が近接したり、１つの携帯装置に対して複数の記録担体２が近接したりする可能性は、携帯装置ほど高くない。したがって、据え置き型の装置（再生機器）を用いる場合には、上記最小距離を０ｍｍ、最大距離を２５０ｍｍ〜３５０ｍｍ（好ましくは３００ｍｍ）とすることが好ましい。
【００５８】
これにより、記録担体２が近傍にあることを検出することができる。また、この担体ＩＤには、音楽再生プログラム５３によって再生可能な音楽データが記録されていることを示すＩＤも含まれている。
【００５９】
ＣＰＵ５０は、近傍の記録担体２を検出すると、音楽再生プログラム５３が、不揮発性メモリ５６に記録されてインストールされているかどうかを判断する（ステップＳ２）。音楽再生プログラム５３がインストールされていない場合、ＣＰＵ５０は、当該音楽再生プログラム５３をダウンロードできるウエブサイト（たとえば、App Store（商標）、Play store（商標）など）へのリンクを示した画面を、タッチスクリーンディスプレイ５４に表示する（ステップＳ３）。
【００６０】
ユーザがダウンロードの操作を行うと、ＣＰＵ５０は、当該ウエブサイトから音楽再生プログラム５３をダウンロードし、不揮発性メモリ５６に記録してインストールする（ステップＳ４）。その後、音楽再生プログラム５３を実行する。
【００６１】
なお、ステップＳ２において、既に音楽再生プログラム５３がインストールされている場合、直ちに、音楽再生プログラム５３を実行する。
【００６２】
図６に、音楽再生プログラム５３のフローチャートを示す。ＣＰＵ５０は、音楽再生プログラム５３をダウンロードしてインストールしてからの最初の起動であるかどうかを判断する（ステップＳ１１）。最初の起動であれば、ＣＰＵ５０は、ユーザ登録画面をタッチスクリーンディスプレイ５４に表示する。この画面において、ユーザはメールアドレス（ユーザＩＤでもある）、氏名、年齢などのユーザ情報を入力し、通信回路５８によって、インターネットを介してサーバ装置に送信する（ステップＳ１２）。なお、これら情報はスマートフォン４の不揮発性メモリ５６にも記録される。
【００６３】
サーバ装置は、ユーザ情報を受信してこれを記録部に記録して登録する。登録されたユーザ情報を、図８Ａに示す。なお、スマートフォン４がインターネットに接続できる環境にない場合には、後にインターネットに接続できる環境に移動した際に不揮発性メモリ５６に記録されたユーザ情報を送信する。その後、ステップＳ１３に進む。
【００６４】
ステップＳ１１において最初の起動でないと判断された場合には、ステップＳ１３に進む。ステップＳ１３において、ＣＰＵ５０は、近傍の記録担体２から担体ＩＤを受信すると、これをメモリ５２に記録して相手方を特定する。
【００６５】
続いて、ＣＰＵ５０は、図７Ａに示すような画面をタッチスクリーンディスプレイ５４に表示する。上部に、記録担体２から受信した楽曲名などが表示されている。中央部には、再生ボタン１００、停止ボタン１０２などが表示されている（一時停止などの他のボタンは省略）。
【００６６】
ユーザによって再生ボタン１００がクリックされると（ステップＳ１４）、ＣＰＵ５０は、近距離通信回路４１により、相手方として特定した担体ＩＤを伴って、音楽データの伝送を要求する命令を送信する（ステップＳ１６）。これにより、スマートフォン４の近距離通信用アンテナ（図示せず）から、上記の命令が送信される。
【００６７】
記録担体２の制御回路２１は、アンテナ２７、近距離通信回路２２によって受信した上記命令が、自らの記録担体２に対する命令であるかどうかを判断する。制御回路２１は、当該命令に含まれる担体ＩＤによって、自らの記録担体２に対する命令であるかどうかを判断する。自らの記録担体２に対する命令であれば、不揮発性メモリ２３に記録されている音楽データ２５を読み出して、近距離通信回路２２により、アンテナ２７を介して送信する。なお、この音楽データ２５は、担体ＩＤ２６伴って送信するようにしている。
【００６８】
スマートフォン４のＣＰＵ５０は、近距離通信回路４１によって音楽データ５２を受信する（ステップＳ１７）。ＣＰＵ５０は、受信した音楽データ２５に含まれる担体ＩＤ２６が、メモリ５２に記録された相手方の担体ＩＤと合致していれば、音楽データ２５を波形データに再生してＤ／Ａ変換した後、スピーカ４５から出力する（ステップＳ１８）。
【００６９】
上記の処理が繰り返され、記録担体２から次々と送られてくる音楽データ２５が再生されて、スピーカ４５から出力されることになる。
【００７０】
音楽データ２６が終了すると（音楽データ終了を示すデータを受信したり、あるいは所定時間以上継続して音楽データ２６を受信できない場合）、ＣＰＵ５０は再生処理を停止する（ステップＳ１９）。なお、停止ボタン１０２がクリックされた場合も再生処理を停止する。
【００７１】
以上のように、音楽再生プログラム５３がインストールされたスマートフォン４の近傍に記録担体２を置けば、誰でも音楽データを再生することができる。したがって、記録担体２を購入したユーザがこれを他のユーザに貸して他のユーザが音楽データを再生することができる。
【００７２】
なお、上記において、ステップＳ１４にて再生ボタンが押下されると、ＣＰＵ５０は、担体ＩＤ、再生日時、再生場所、ユーザＩＤ、再生機器情報を、通信回路５８によって、インターネットを介しサーバ装置に送信する（ステップＳ１５）。なお、ユーザＩＤは、音楽再生プログラム５３を最初に起動した時に入力されたものである。再生機器情報は、スマートフォン４を特定する機体番号や電話番号などである。再生場所は、スマートフォン４に内蔵しているＧＰＳ受信機によって取得した情報である。
【００７３】
サーバ装置は、これを受信して記録する。なお、スマートフォン４がインターネットに接続できる環境にない場合には、担体ＩＤ、ユーザＩＤ、再生機器情報などを一旦記録しておき、インターネットに接続できる環境になったときに送信する。
【００７４】
このようにして、サーバ装置には、図８Ｂに示すように担体ＩＤに対応づけて、再生日時やユーザＩＤなどが記録される。図８Ｂは、担体ＩＤ「１０３８４７６」の記録担体２について記録されたデータのみを示したものであるが、他の記録担体２についても同様に記録される。
【００７５】
図８Ｂに示されるように、担体ＩＤを併せて記録するようにしているので、当該記録担体２について再生するユーザが変わったことを含めて履歴情報を記録することができる。この履歴情報に基づいて、当該記録担体２の移動状況を把握したり、ユーザＩＤなどに基づいてマーケティングに利用したりすることができる。
【００７６】
なお、この実施形態では、ステップＳ１において、二以上の記録担体２からの担体ＩＤ２６を受信した場合（近傍に記録担体２が複数あった場合）には、最後に受信した方の記録担体２を相手方として特定するようにしている。
【００７７】
また、ある記録担体２からの音楽データ２６を受信して再生している途中であっても、別の記録担体２が近傍に置かれると、別の記録担体２が相手方として特定され、別の記録担体２に記録されている音楽データを受信して再生を行う。したがって、ユーザは、記録担体２の音楽データを再生している途中に、他の記録担体２の音楽データを再生したい場合には、たとえば、他の記録担体２を最初の記録担体２の上に置くことで簡単に実現することができる。
【００７８】
なお、通信方式によっては、複数の記録担体２が近傍にあるとスマートフォン４においていずれの記録担体２も認識できなくなることもある。この場合には、いずれか一つの記録担体２を近接させるようにする。
【００７９】
この実施形態では、記録担体２を購入したユーザだけでなく、当該ユーザから記録担体２を借りたユーザも制約なく再生を行うことができる。また、記録担体２とこれを再生するスマートフォン４を近接させるだけで音楽が再生され、記録担体２を精密に再生装置に位置決めして装着する必要がない。
【００８０】
1.4その他の例
(1)上記実施形態では、円盤状の記録担体２として実施している。しかし、その他の形状（矩形など）としてもよい。また、楽器、お土産品などの物品に記録担体２を収納して実施するようにしてもよい。さらにまた、商品のタグなどに収納するようにしてもよい。
【００８１】
(2)上記実施形態では、複数の記録担体２が近傍にある場合、最後に認識した記録担体２を相手方として特定し、音楽データを受信して再生するようにしている。
【００８２】
しかし、最初に認識した記録担体２を相手方として特定し、音楽データを受信して再生するようにしてもよい。さらに、この場合に、最初に認識した記録担体２の音楽データの再生が終了すると、他の記録担体２の音楽データを続けて再生するようにしてもよい。
【００８３】
また、複数の記録担体２が近傍にある場合、図７Ｂに示すように、これらの担体ＩＤ２６をスマートフォン４のタッチスクリーンディスプレイ５４に選択可能に表示して、ユーザが選択できるようにしてもよい。選択された記録担体２を相手方として特定し、音楽データを受信して再生する。なお、図７においては、担体ＩＤとともに送信されてくる楽曲情報（アーチスト名、アルバム名）を表示するようにしている。
【００８４】
さらに、複数の記録担体２が近傍にある場合、これら複数の記録担体２の音楽データを同期をとりつつ同時に再生するようにしてもよい。ボーカルのみの入った記録担体２、演奏の入った記録担体２を同時に再生することで、完成した音楽を聴くことができる。それぞれの音楽データに、同期を取るためのタイムスタンプデータ（楽曲の開始からの経過時間）などを記録しておき、これによって同期をとることができる。また、カラオケとして利用する場合には、演奏の入った記録担体２のみを再生することができる。
【００８５】
(3)上記実施形態では、再生ボタン１００をクリックすることで再生が開始されるようにした。しかし、スマートフォン４を記録担体２に近づけるだけで（記録担体２をスマートフォン４に近づけるだけで）、再生が開始されるようにしてもよい。
【００８６】
(4)上記実施形態では、音楽再生プログラム５３の初回起動の際にユーザ登録を行うようにしている（ステップＳ１２）。しかし、誰でもが簡単に再生できるという点を追及するのであれば、ユーザ登録を経ずに再生を行えるようにしてもよい。この場合、ステップＳ１５においては、担体ＩＤ、再生機器情報、再生場所、再生時間などの情報をサーバ装置に送信するようにすればよい。
【００８７】
(5)上記実施形態では、再生の際に、ユーザ情報などをサーバ装置に送信するようにしている。しかし、このような処理を行わないようにしてもよい。
【００８８】
(6)上記実施形態では、再生の際に、ユーザ情報などをサーバ装置に送信するようにしている。しかし、音楽データ記録担体２に記録するようにしてもよい。
【００８９】
(7)上記実施形態では、ダウンロードのためのサーバ装置、ユーザ登録のためのサーバ装置、履歴を記録するためのサーバ装置を共通としている。しかし、これらを異なるサーバ装置によって構成するようにしてもよい。
【００９０】
(8)上記実施形態では、再生対象となる音楽データのタイトルなどを文字として表示するようにしている。しかし、記録担体２から担体ＣＤジャケット写真やＰＶ画像などを送信し、これを表示するようにしてもよい。
【００９１】
(9)上記実施形態では、音楽データを例として示したが、静止画像データ、動画データ、アニメデータなどを記録担体２に記録して実施することができる。この場合、出力はスピーカ４５でなくタッチスクリーンディスプレイ５４だけから、あるいは双方から行われることになる。
【００９２】
(10)上記実施形態では、スピーカ４５から出力するようにしている。しかし、イヤホンやヘッドフォンから出力するようにしてもよい。
【００９３】
(11)上記実施形態では、再生装置としてスマートフォン４を例に説明したが、タブレットコンピュータ、ＰＤＡ、ノートパソコン、据え置き型の再生装置などを用いることができる。
【００９４】
(12)上記実施形態および変形例は、その本質に反しない限り、他の実施形態や変形例と組み合わせて実施可能である。
【００９５】
２．第２の実施形態
2.1機能ブロック図
図９に、第２の実施形態による再生システムの機能ブロック図を示す。
【００９６】
記録担体２を携帯装置４に近接させると、記録担体２の電源部２４は、アンテナ２７にて受信した信号から電源電圧を得て各部に供給する。これにより、送信手段２１は、記録部２３に記録されている担体ＩＤを、近距離通信部２２によって送信する。
【００９７】
携帯装置４の初期受信手段４３は、アンテナ４６、近距離通信部４１によってこれを受信し担体ＩＤを得る。初期受信手段４３から、近距離通信部４１、アンテナ２７を介して読出要求が送信されると、記録担体２の送信手段２１は、記録部２３に記録されている音楽データ２５を送信する。
【００９８】
音楽データ受信手段４２は、送信されてきた音楽データ２５を受信し再生手段４４に与える。再生手段４４は、音楽データ２５を再生して音信号とし、音出力部４５に与える。音出力部４５は、音信号を音として出力する。
【００９９】
以上のようにして、記録担体２に携帯装置４を近づけることで、記録担体２に記録されている音楽データ２５を再生することができる。
【０１００】
さらに、この実施形態では、記録担体２を購入したユーザが、携帯装置４からこの記録担体２を登録することで、音楽データのダウンロードなどのメリットを得ることができるようにしている。
【０１０１】
登録要求送信手段６２は、記録担体２の担体ＩＤとユーザＩＤを特定した登録要求を、通信部６１によって、インターネットを介してサーバ装置８に送信する。サーバ装置８の登録要求受付手段８２は、通信部８３を介して、この登録要求を受け付ける。登録手段８１は、当該担体ＩＤが既に登録済みでないかどうかを判断し、未登録であれば、担体ＩＤとユーザＩＤを対応付けて記録部８４に登録する。なお、記録部８４には、記録担体２に記録されている音楽データに対応する音楽データが記録されている。
【０１０２】
このように登録を受けることで、当該ユーザＩＤのユーザが当該担体ＩＤの記録担体２についての権利者であることを明確にすることができる。登録されたユーザは、登録された記録担体２の音楽データについて、ダウンロードなどを要求することができる。
【０１０３】
ユーザがダウンロードなどを要求する操作を行うと、携帯装置４の利益実現要求手段６３は、通信部６１により、インターネットを介してサーバ装置８に利益実現要求を送信する。この利益実現要求には、ユーザＩＤと担体ＩＤに紐付けられている。
【０１０４】
サーバ装置８の利益実現手段８５は、通信部８３を介して、この利益実現要求を受ける。利益実現手段８５は、利益実現要求に紐付けられたユーザＩＤと担体ＩＤが、記録部８４に登録されているものであれば、記録部８４に記録されている音楽データを読み出して、通信部８３により、インターネットを介して、携帯装置４に送信する。
【０１０５】
携帯装置４は、この音楽データを受信し記録する。したがって、携帯装置４のユーザは、記録担体２がなくとも音楽データを再生できるようになる。携帯装置４は、記録担体２の音楽データを再生した装置とは別の装置であってもよい。したがって、ユーザは、自らの有する各携帯装置４において音楽データをダウンロードして再生することができる。
【０１０６】
2.2システム構成およびハードウエア構成
図１０に、この実施形態によるシステム構成を示す。この実施形態では、円盤状の記録担体２を用いている。この記録担体２の円盤の外周部分にはアンテナが巻回され、内部に記録部を含む回路部が収納されている。携帯装置としてはスマートフォン４を用いている。上述のように、記録担体２とスマートフォン４との間は、近距離通信によって通信が可能となっている。
【０１０７】
さらに、サーバ装置８が設けられている。携帯装置４は、インターネットを介してサーバ装置８と通信可能に構成されている。
【０１０８】
記録担体２、スマートフォン４のハードウエア構成は、図３、図４に示すとおりである。
【０１０９】
図１１に、サーバ装置８のハードウエア構成を示す。ＣＰＵ８０には、メモリ８２、ディスプレイ８４、ハードディスク８６、ＤＶＤ−ＲＯＭドライブ８８、通信回路９０が接続されている。通信回路９０は、インターネットに接続するための回路である。
【０１１０】
ハードディスク８６には、オペレーティングシステム９２、サーバプログラム９４、音楽データ９６が記録されている。サーバプログラム９４は、オペレーティングシステム９２と協働してその機能を発揮するものである。これらプログラムは、ＤＶＤ−ＲＯＭ９８に記録されていたものを、ＤＶＤ−ＲＯＭドライブ８８を介してハードディスク８６にインストールしたものである。
【０１１１】
また、ハードディスク８６には、記録担体２に記録されている音楽データ２５に対応する音楽データ９６が記録されている。この実施形態では、サーバ装置８に記録されている音楽データ９６は、記録担体２に記録されている音楽データ２５よりも精度の良いＣＤクオリティのデータやハイレゾリューションのデータとなっている。
【０１１２】
2.3再生処理および登録処理
音楽再生プログラム５３のフローチャートを、図１２〜図１４に示す。なお、オペレーティングシステム５１による近距離通信処理のフローチャートは図５と同じである。
【０１１３】
スマートフォン４のＣＰＵ５０（以下、スマートフォン４と省略することがある）は、音楽再生プログラム５３か最初の起動であるかどうかを判断し、最初の起動であればユーザ登録を行う（ステップＳ２１、Ｓ２２）。この処理は、第１の実施形態と同様である。
【０１１４】
次に、スマートフォン４は、記録担体２が近くにあれば、受信した担体ＩＤにより相手先を決定する（ステップＳ２３）。なければ、この処理は行わない。
【０１１５】
次に、スマートフォン４は、トップ画面を表示する(ステップＳ２４）。図１５Ａに、トップ画面の例を示す。画面上部には、相手先として決定した記録担体２に記録されている音楽データのタイトルが表示されている。その下には、ダウンロードして不揮発性メモリ５６に記録されている音楽データが表示されている。なお、ダウンロード処理については後述する。画面下部には、再生ボタン１００、停止ボタン１０２などが表示されている。さらに、購入認証ボタン１０４、ダウンロードボタン１０５が表示されている。
【０１１６】
ユーザが記録担体２に記録されている音楽データを選択して、再生ボタン１００をクリックした場合（ステップＳ２５）、図６のステップＳ１５以下が実行される。すなわち、記録担体２から音楽データを読み出して再生するとともに、担体ＩＤ、ユーザＩＤなどをサーバ装置８に送信して、履歴として記録する。この処理は、第１の実施形態と同様である。
【０１１７】
この実施形態では、記録担体２に記録された音楽データを再生するだけでなく、当該音楽データに対応する精度の良い音楽データをダウンロードして再生できるようにしている。ただし、このような精度の良い音楽データをダウンロードできるのは、記録担体２を購入したユーザだけとしている。以下、その処理内容について説明する。
【０１１８】
ダウンロードを希望するユーザは、図１５Ａの画面において、購入認証ボタン１０４をクリックする。これを受けて、スマートフォン４は、担体ＩＤおよびユーザＩＤを伴う購入認証要求を、インターネットを介してサーバ装置８に送信する（ステップＳ２６）。ここで、購入認証とは、記録担体２を購入したユーザを登録する行為である。購入認証を行うことにより、ダウンロードその他の利益を受けることができる。
【０１１９】
サーバ装置８のＣＰＵ８０（以下、サーバ装置８と省略することがある）は、この購入認証要求を受け、送られてきた担体ＩＤが、既に購入認証テーブルに登録されているかどうかを判断する（ステップＳ３２）。図１６に、サーバ装置８のハードディスク８６に記録された購入認証テーブルを示す。
【０１２０】
送信されてきた担体ＩＤがこの購入認証テーブルに登録されていなければ、サーバ装置８は、ユーザＩＤ、担体ＩＤを関連づけて購入認証テーブルに記録して登録する（ステップＳ３３）。そして、登録されたことを通知する画面を、スマートフォン４に送信する（ステップＳ３４）。スマートフォン４は、タッチスクリーンディスプレイ５４に、この通知画面を表示する（ステップＳ２７）。
【０１２１】
以上のようにして、購入認証テーブルに登録されると、当該ユーザは対応づけて記録された担体ＩＤの記録担体の音楽データについて、正当な権利者であることが確認されたことになる。なお、正当な購入者であっても、記録担体２を手元に持っていない場合には、ステップＳ２６において担体ＩＤが送信されず、購入認証を行うことはできない。
【０１２２】
なお、既に登録済みの担体ＩＤについて購入認証要求が送られてきた場合には、登録をせずに終了する（ステップＳ３２）。この場合、スマートフォン４に対して、登録不可である旨の画面が送信される（図１２のフローチャートには示していない）。
【０１２３】
購入認証を受けたユーザは、正当な権利者として、様々な利益を受けることができる。たとえば、より精密な音楽データのダウンロード、歌詞データのダウンロード、特典楽曲や画像のダウンロード、あるいはこれらのストリーミングなどのサービスを受けることができる。以下では、より精密な音楽データのダウンロードを例として説明を行う。
【０１２４】
図１５Ａの画面において、ユーザがダウンロードボタン１０５をクリックすると、スマートフォン４は、ユーザＩＤを伴って、ダウンロードメニュー要求をサーバ装置８に送信する（ステップＳ２８）。サーバ装置８は、送られてきたユーザＩＤに基づいて、購入認証テーブルを参照し、当該ユーザが権利を有する音楽データを抽出し、ダウンロードメニューとして送信する（ステップＳ３５）。
【０１２５】
スマートフォン４は、これを受け取って、タッチスクリーンディスプレイ５４に表示する（ステップＳ２９）。その画面例を図１５Ｂに示す。図１５Ｂでは、２つの音楽データが選択可能に示されている。
【０１２６】
ユーザが、いずれかをクリックすると、スマートフォン４は、選択された音楽データのＩＤをサーバ装置８に送信する（ステップＳ４０）。サーバ装置８は、これを受けて、ＣＤクオリティの音楽データをスマートフォン４に送信する（ステップＳ３６）。スマートフォン４は、これを受信して不揮発性メモリ５６に記録する（ステップＳ４１）。
【０１２７】
以上のようにして、購入認証によって正当な権利者として登録されたユーザは、購入した記録担体２に記録されている音楽データに対応する高精度の音楽データをダウンロードすることができる。
【０１２８】
次に、上記のようにしてダウンロードした音楽データを再生する場合の処理を説明する。図１５Ａの画面において、楽曲を選択し、再生ボタン１００をクリックすると、図１４に示す再生処理が行われる。選択された楽曲が、記録担体２に記録された音楽データであれば、記録担体２から音楽データを読み出して再生する（図６のステップＳ１５以下を実行）。
【０１２９】
選択された楽曲がダウンロードした音楽データであれば、スマートフォン４は、まず当該音楽データの楽曲ＩＤ（音楽データを特定するためのＩＤ）、ユーザＩＤ、再生機器情報、再生日時などを、サーバ装置８に送信する（ステップＳ４４）。サーバ装置８は、これを受信して履歴情報として、ハードディスク８６に記録する（ステップＳ３８）。
【０１３０】
スマートフォン４は、記録されている音楽データを不揮発性メモリ５６から読み出して再生し、スピーカ５４から出力する（ステップＳ４５）。音楽データが終了したら、再生を終了する（ステップＳ４６）。
【０１３１】
以上のようにして、当該記録担体２について正当な権利者として登録されたユーザは、音楽データなどの利益を受けることができる。
【０１３２】
2.4その他の例
(1)上記実施形態では、ユーザ登録、履歴記録、購入認証登録、音楽データダウンロードを一つのサーバ装置８にて実現している。しかし、一部の機能のみを行うサーバ装置８を複数別個に設けるようにしてもよい。たとえば、ユーザ登録のための登録サーバ装置、履歴記録他のための履歴サーバ装置、購入認証のための購入認証サーバ装置、音楽データダウンロードのための音楽データダウンロードサーバ装置を別個に設けてもよい。
【０１３３】
(2)上記実施形態では、ダウンロードの際に、購入認証テーブルを参照して、当該ユーザが権利を有する音楽データを選択してスマートフォンに送信するようにしている。しかし、ユーザがダウンロードを希望した音楽データについて権利があるかどうかを、購入認証テーブルを参照して判断するようにしてもよい。
【０１３４】
(3)上記実施形態に加えて、サーバ装置において、ユーザＩＤを特定した権利確認要求を受けて、当該ユーザが登録している媒体ＩＤに基づいて権利を有する音楽データを特定し、返信するようにしてもよい。このようなサービスは、他社のコンピュータやサーバ装置からの問合せに対しても返信することができる、いわゆる権利確認サービスとして構築することができる。
【０１３５】
(4)上記実施形態では、購入認証を行った（登録した）ユーザは、ユーザＩＤを伴ってダウンロードメニューを要求することで、購入済みの音楽データの一覧を受信するようにしている（ステップＳ３５参照）。しかし、ユーザＩＤと楽曲ＩＤを伴ってダウンロード要求を行うようにしてもよい。当該ユーザが当該楽曲ＩＤに対応する媒体ＩＤについて登録済みであれば、ダウンロードを許可するようにする。
【０１３６】
(5)上記実施形態および変形例は、その本質に反しない限り、他の実施形態や変形例と組み合わせて実施可能である。
【図１】
2019095499.tif 000003
【図２】
2019095499.tif 000004
【図３】
2019095499.tif 000005
【図４】
2019095499.tif 000006
【図５】
2019095499.tif 000007
【図６】
2019095499.tif 000008
【図７】
2019095499.tif 000009
【図８】
2019095499.tif 000010
【図９】
2019095499.tif 000011
【図１０】
2019095499.tif 000012
【図１１】
2019095499.tif 000013
【図１２】
2019095499.tif 000014
【図１３】
2019095499.tif 000015
【図１４】
2019095499.tif 000016
【図１５】
2019095499.tif 000017
【図１６】
2019095499.tif 000018